【手続補正書】
【提出日】平成28年10月5日(2016.10.5)
【手続補正１】
【補正対象書類名】明細書
【補正対象項目名】発明の名称
【補正方法】変更
【補正の内容】
【発明の名称】情報処理装置、その制御方法、およびプログラム
【手続補正２】
【補正対象書類名】明細書
【補正対象項目名】０００１
【補正方法】変更
【補正の内容】
【０００１】
本発明は、情報処理装置、その制御方法、およびプログラムに関し、特に、パーソナルコンピュータ（以下ＰＣという）などの情報処理装置で生成された画像をプロジェクタなどの外部表示装置に転送する際の転送制御に関する。
【手続補正３】
【補正対象書類名】明細書
【補正対象項目名】００１４
【補正方法】変更
【補正の内容】
【００１４】
上記の目的を達成するため、本発明による情報処理装置は、外部表示装置に接続可能な情報処理装置であって、ユーザの指示に応じて、情報量が異なり、互いに関連付けられている第１のコンテンツと第２のコンテンツとを含む、複数のコンテンツを送信可能なサーバにコンテンツを要求する要求手段と、前記要求に応答して前記サーバから送信されるコンテンツを受信する受信手段と、前記受信手段により受信されたコンテンツの内容を表示する表示手段と、前記受信手段により受信されたコンテンツに基づく情報を前記外部表示装置に送信する送信手段とを有し、前記外部表示装置が接続されていない状態で前記サーバにコンテンツを要求する場合、前記要求手段は、前記第一のコンテンツを受信するための情報を前記サーバに通知し、前記外部表示装置が接続されている状態で前記サーバにコンテンツを要求する場合、前記要求手段は、前記第１のコンテンツを受信するための情報を前記サーバに通知せず、前記サーバから受信したコンテンツを前記表示手段により表示中に、前記外部表示装置との接続の状態が変化した場合、前記要求手段は、前記サーバにコンテンツを再要求するとともに、変化後の状態に応じて前記第１のコンテンツを受信するための情報を前記サーバに通知するか否かを切り替え、前記第２のコンテンツは前記第１のコンテンツよりも情報量が多いことを特徴とする。
【手続補正４】
【補正対象書類名】特許請求の範囲
【補正対象項目名】全文
【補正方法】変更
【補正の内容】
【特許請求の範囲】
【請求項１】
外部表示装置に接続可能な情報処理装置であって、
ユーザの指示に応じて、情報量が異なり、互いに関連付けられている第１のコンテンツと第２のコンテンツとを含む、複数のコンテンツを送信可能なサーバにコンテンツを要求する要求手段と、
前記要求に応答して前記サーバから送信されるコンテンツを受信する受信手段と、
前記受信手段により受信されたコンテンツの内容を表示する表示手段と、
前記受信手段により受信されたコンテンツに基づく情報を前記外部表示装置に送信する送信手段とを有し、
前記外部表示装置が接続されていない状態で前記サーバにコンテンツを要求する場合、前記要求手段は、前記第一のコンテンツを受信するための情報を前記サーバに通知し、
前記外部表示装置が接続されている状態で前記サーバにコンテンツを要求する場合、前記要求手段は、前記第１のコンテンツを受信するための情報を前記サーバに通知せず、
前記サーバから受信したコンテンツを前記表示手段により表示中に、前記外部表示装置との接続の状態が変化した場合、前記要求手段は、前記サーバにコンテンツを再要求するとともに、変化後の状態に応じて前記第１のコンテンツを受信するための情報を前記サーバに通知するか否かを切り替え、
前記第２のコンテンツは前記第１のコンテンツよりも情報量が多いことを特徴とする情報処理装置。
【請求項２】
前記要求手段は、前記外部表示装置との接続が切れた場合又は確立した場合に、コンテンツを再要求することを特徴とする請求項１に記載の情報処理装置。
【請求項３】
前記外部表示装置との通信および前記サーバとの通信は、少なくとも一部の通信に、同一の無線規格を用いることを特徴とする請求項１又は２に記載の情報処理装置。
【請求項４】
前記外部表示装置との通信、および前記サーバとの通信は、それぞれ異なる無線規格を用いることを特徴とする請求項１又は２に記載の情報処理装置。
【請求項５】
前記外部表示装置が接続されている状態で前記サーバにコンテンツを要求する場合、前記要求手段は、前記第二のコンテンツを受信するための情報を前記サーバに通知することを特徴とする請求項１乃至４のいずれか１項に記載の情報処理装置。
【請求項６】
接続された前記外部装置の表示能力が所定の能力未満である場合、前記要求手段は、前記第１のコンテンツを受信するための情報を前記サーバに通知しないことを特徴とする請求項１乃至５のいずれか１項に記載の情報処理装置。
【請求項７】
前記要求手段は、前記外部表示装置の表示モードに応じて、前記第１のコンテンツを受信するための情報を前記サーバに通知するか否かを異ならせることを特徴とする請求項１乃至６のいずれか１項に記載の情報処理装置。
【請求項８】
前記外部表示装置の表示モードが変化した場合、前記要求手段は前記サーバにコンテンツを再要求するとともに、変化後の表示モードに応じて前記第一のコンテンツを受信するための情報を前記サーバに通知するか否かを異ならせることを特徴とする請求項７に記載の情報処理装置。
【請求項９】
外部表示装置に接続可能な情報処理装置であって、
ユーザの指示に応じて、互いに表示レイアウトが異なり、互いに関連付けられている第１のコンテンツと第２のコンテンツとを含む、複数のコンテンツを送信可能なサーバにコンテンツを要求する要求手段と、
前記要求に応答して前記サーバから送信されるコンテンツを受信する受信手段と、
前記受信手段により受信されたコンテンツの内容を表示する表示手段と、
前記受信手段により受信されたコンテンツに基づく情報を前記外部表示装置に送信する送信手段とを有し、
前記外部表示装置が接続されていない状態で前記サーバにコンテンツを要求する場合、前記要求手段は、前記第１のコンテンツを受信するための情報を前記サーバに通知し、
前記外部表示装置が接続されている状態で前記サーバにコンテンツを要求する場合、前記要求手段は、前記第２のコンテンツを受信するための情報を前記サーバに通知し、
前記外部表示装置との接続の状態が変化した場合、前記要求手段は、前記サーバにコンテンツを再要求するとともに、変化後の状態に応じて前記第１のコンテンツを受信するための情報を前記サーバに通知するか前記第２のコンテンツを受信するための情報を前記サーバに通知するかを切り替えることを特徴とする情報処理装置。
【請求項１０】
前記要求手段は、前記外部表示装置との接続が切れた場合または確立した場合に、コンテンツを再要求することを特徴とする請求項９に記載の情報処理装置。
【請求項１１】
前記外部表示装置との通信、および前記サーバとの通信は、少なくとも一部の通信に、同一の無線規格を用いることを特徴とする請求項９又は１０に記載の情報処理装置。
【請求項１２】
前記外部表示装置との通信、および前記サーバとの通信は、それぞれ異なる無線規格を用いることを特徴とする請求項９又は１０に記載の情報処理装置。
【請求項１３】
前記外部表示装置が接続されている状態で前記サーバにコンテンツを要求する場合、前記要求手段は、前記第二のコンテンツを受信するための情報を前記サーバに通知することを特徴とする請求項９乃至１２のいずれか１項に記載の情報処理装置。
【請求項１４】
接続された前記外部装置の表示能力が所定の能力未満である場合、前記要求手段は、前記第１のコンテンツを受信するための情報を前記サーバに通知しないことを特徴とする請求項９乃至１３のいずれか１項に記載の情報処理装置。
【請求項１５】
前記要求手段は、前記外部表示装置の表示モードに応じて、前記第１のコンテンツを受信するための情報を前記サーバに通知するか否かを異ならせることを特徴とする請求項９乃至１４のいずれか１項に記載の情報処理装置。
【請求項１６】
前記外部表示装置の表示モードが変化した場合、前記要求手段は前記サーバにコンテンツを再要求するとともに、変化後の表示モードに応じて前記第１のコンテンツを受信するための情報を前記サーバに通知するか否かを異ならせることを特徴とする請求項１５に記載の情報処理装置。
【請求項１７】
外部表示装置に接続可能な情報処理装置の制御方法であって、
ユーザの指示に応じて、情報量が異なり、互いに関連付けられている第１のコンテンツと第２のコンテンツとを含む、複数のコンテンツを送信可能なサーバにコンテンツを要求する要求工程と、
前記要求に応答して前記サーバから送信されるコンテンツを受信する受信工程と、
前記受信工程で受信されたコンテンツの内容を表示する表示工程と、
前記受信工程で受信されたコンテンツに基づく情報を前記外部表示装置に送信する送信工程とを有し、
前記外部表示装置が接続されていない状態で前記サーバにコンテンツを要求する場合、前記要求工程では、前記第一のコンテンツを受信するための情報を前記サーバに通知し、
前記外部表示装置が接続されている状態で前記サーバにコンテンツを要求する場合、前記要求工程で、前記第１のコンテンツを受信するための情報を前記サーバに通知せず、
前記サーバから受信したコンテンツを前記表示手段により表示中に、前記外部表示装置との接続の状態が変化した場合、前記要求工程では、前記サーバにコンテンツを再要求するととともに、変化後の状態に応じて前記第１のコンテンツを受信するための情報を前記サーバに通知するか否かを切り替え、
前記第２のコンテンツは前記第１のコンテンツよりも情報量が多いことを特徴とする情報処理装置の制御方法。
【請求項１８】
外部表示装置に接続可能な情報処理装置の制御方法であって、
ユーザの指示に応じて、互いに表示レイアウトが異なり、互いに関連付けられている第１のコンテンツと第２のコンテンツとを含む、複数のコンテンツを送信可能なサーバにコンテンツを要求する要求工程と、
前記要求に応答して前記サーバから送信されるコンテンツを受信する受信工程と、
前記受信工程で受信されたコンテンツの内容を表示する表示工程と、
前記受信工程で受信されたコンテンツに基づく情報を前記外部表示装置に送信する送信工程とを有し、
前記外部表示装置が接続されていない状態で前記サーバにコンテンツを要求する場合、前記要求工程では、前記第１のコンテンツを受信するための情報を前記サーバに通知し、
前記外部表示装置が接続されている状態で前記サーバにコンテンツを要求する場合、前記要求工程では、前記第２のコンテンツを受信するための情報を前記サーバに通知し、
前記外部表示装置との接続の状態が変化した場合、前記要求工程では、前記サーバにコンテンツを再要求するとともに、変化後の状態に応じて前記第１のコンテンツを受信するための情報を前記サーバに通知するか前記第２のコンテンツを受信するための情報を前記サーバに通知するかを切り替えることを特徴とする情報処理装置の制御方法。
【請求項１９】
コンピュータを、請求項１乃至８のいずれか１項に記載の情報処理装置の各手段として機能させるための、コンピュータが読み取り可能なプログラム。
【請求項２０】
コンピュータを、請求項９乃至１６のいずれか１項に記載の情報処理装置の各手段として機能させるための、コンピュータが読み取り可能なプログラム。